(57)【要約】【課題】  簡単な構成でキャップ内の粉末飲料材以外の部材が飲料水中に落下することなく、飲料水の漏洩や外部からの汚染を防止する。【解決手段】  飲料容器の開口ねじ部に螺合する如く形成され、内部に粉末飲料材を収納する飲料容器用キャップにおいて、ねじ部が形成された蓋部と、この蓋部に一体に形成され下部開口面に封止フィルムが固着されおり上部には環状の嵌合溝が形成されている支持筒体とからなる下部キャップと、押圧天板と、この押圧天板に一体に形成された環状側縁部と、この環状側縁部の下端には内側に屈曲し先端下部が傾斜面に形成されている係止部と、押圧天板の裏面に形成され支持筒体の内側に近接して挿入され下端が傾斜開口面に形成されている収納筒とから構成されていることを特徴とする飲用容器用キャップ。【選択図】  図１
2007269403.tif 000002
【特許請求の範囲】
【請求項１】
開口ねじ部を有する飲料容器本体と、前記開口ねじ部に装着され内部に粉末飲料材を収納するキャップとからなる飲料容器であって、
前記キャップは前記飲料容器本体の開口ねじ部に螺合可能な下部キャップとこの下部キャップに嵌合可能な上部キャップから構成されており、
前記下部キャップは前記飲料容器本体の開口ねじ部に螺合する蓋部と、この蓋部に一体に形成され前記飲料容器本体の開口ねじ部の内側に挿入される支持筒体とから構成されており、前記支持筒体の下部開口面には封止フィルムが固着されており、前記支持筒体の上部には環状の嵌合溝が形成されており、
前記上部キャップは、押圧天板と、この押圧天板に一体形成された環状側縁部と、この環状側縁部の下端には内側に屈曲し先端下部が傾斜面に形成されている係止部と、前記押圧天板の裏面に一体に形成され前記支持筒体の内側に近接して挿入され下端が傾斜開口部に形成されている収納筒とから構成されていることを特徴とする飲料容器。
【請求項２】
開口ねじ部を有する飲料容器本体と、前記開口ねじ部に装着され内部に粉末飲料材を収納するキャップとからなる飲料容器であって、
前記キャップは前記飲料容器本体の開口ねじ部に螺合可能な下部キャップとこの下部キャップに嵌合可能な上部キャップと、前記下部キャップと前記上部キャップ間に嵌挿され引き抜き可能なストッパーから構成されており、
前記下部キャップは前記飲料容器本体の開口ねじ部に螺合する蓋部と、この蓋部に一体に形成され前記飲料容器本体の開口ねじ部の内側に挿入される支持筒体とから構成されており、前記支持筒体の下部の傾斜開口面には封止フィルムが固着されており、前記支持筒体の上部にはつば部が形成されており、
前記上部キャップは、押圧天板と、この押圧天板に一体形成された環状側縁部と、この環状側縁部の下端には内側に屈曲し先端下部が傾斜面に形成されている係止部と、前記押圧天板の裏面に一体に形成され前記支持筒体の内側に近接して挿入され下端が傾斜開口部に形成されるとともに、外周に気密部材が嵌挿されている収納筒とから構成されていることを特徴とする飲料容器。
【請求項３】
前記下部キャップの前記支持筒体の上端にはねじ部が形成されており、前記上部キャップの前記環状側縁部上部内側にはねじ部が形成されていることを特徴とする請求項１または２記載の飲料容器。
【請求項４】
前記上部キャップの前記押圧天板の裏面において前記収納筒を囲む位置に断面三角形状の環状突起が形成されていることを特徴とする請求項３記載の飲料容器。
【請求項５】
前記支持筒体の前記傾斜開口部にはメッシュシートが固着されていることを特徴とする請求項１乃至４のいずれか１項記載の飲料容器。
【請求項６】
前記メッシュシートのメッシュ単位寸法は前記収納筒に収納される粉末飲料材の平均粒径に略等しい寸法に設定されていることを特徴とする請求項５記載の飲料容器。
【請求項７】
前記気密部材は、Ｏリングであることを特徴とする請求項２記載の飲料容器。
【請求項８】
前記ストッパーは、一部に切り欠き部を有した略リング状あるいはＣ字状のものであることを特徴とする請求項２記載の飲料容器。
【請求項９】
前記ストッパーは、前記切り欠き部の対向する側に引き抜き用の摘み部が形成されていることを特徴とする請求項２記載の飲料容器。
【請求項１０】
飲料容器の開口ねじ部に螺合する如く形成され、内部に粉末飲料材を収納する飲料容器用キャップであって、
ねじ部が形成された蓋部と、この蓋部に一体に形成され下部開口面に封止フィルムが固着されおり上部には環状の嵌合溝が形成されている支持筒体とからなる下部キャップと、
押圧天板と、この押圧天板に一体に形成された環状側縁部と、この環状側縁部の下端には内側に屈曲し先端下部が傾斜面に形成されている係止部と、前記押圧天板の裏面に形成され前記支持筒体の内側に近接して挿入され下端が傾斜開口面に形成されている収納筒とからなる上部キャップと、
から構成されていることを特徴とする飲料容器用キャップ。
【請求項１１】
飲料容器の開口ねじ部に螺合する如く形成され、内部に粉末飲料材を収納する飲料容器用キャップであって、
前記飲料容器本体の開口ねじ部に螺合する蓋部と、この蓋部に一体に形成され前記飲料容器本体の開口ねじ部の内側に挿入される支持筒体とから構成されており、前記支持筒体の下部の傾斜開口面には封止フィルムが固着されており、前記支持筒体の上部にはつば部が形成されてなる下部キャップと、
前記下部キャップに嵌合可能であって、押圧天板と、この押圧天板に一体形成された環状側縁部と、この環状側縁部の下端には内側に屈曲し先端下部が傾斜面に形成されている係止部と、前記押圧天板の裏面に一体に形成され前記支持筒体の内側に近接して挿入され下端が傾斜開口部に形成されるとともに、外周に気密部材が嵌挿されている収納筒が形成されてなる上部キャップと、
前記下部キャップと前記上部キャップ間に嵌挿され引き抜き可能なストッパーと、
から構成されていることを特徴とする飲料容器用キャップ。
【請求項１２】
前記下部キャップの前記支持筒体の上端にはねじ部が形成されており、前記上部キャップの前記環状側縁部上部内側にはねじ部が形成されていることを特徴とする請求項７または８記載の飲料容器用キャップ。
【請求項１３】
前記上部キャップの前記押圧天板の裏面において前記収納筒を囲む位置に断面三角形状の環状突起が形成されていることを特徴とする請求項７または８記載の飲料容器用キャップ。
【請求項１４】
前記支持筒体の前記傾斜開口部にはメッシュシートが固着されていることを特徴とする請求項７乃至１０のいずれか１項記載の飲料容器用キャップ。
【請求項１５】
前記メッシュシートのメッシュ単位寸法は前記収納筒に収納される粉末飲料材の平均粒径に略等しい寸法に設定されていることを特徴とする請求項１１記載の飲料容器用キャップ。
【請求項１６】
前記気密部材は、Ｏリングであることを特徴とする請求項１１記載の飲料容器用キャップ。
【請求項１７】
前記ストッパーは、一部に切り欠き部を有した略リング状あるいはＣ字状のものであることを特徴とする請求項１１記載の飲料容器用キャップ。
【請求項１８】
前記ストッパーは、前記切り欠き部の対向する側に引き抜き用の摘み部が形成されていることを特徴とする請求項１１記載の飲料容器用キャップ。
【発明の詳細な説明】
【技術分野】
【０００１】
本発明は飲用直前まで粉末飲料材の状態を保持する如く構成した飲料容器及び飲料容器用キャップに関する。
【背景技術】
【０００２】
いわゆるペットボトルを利用した各種飲料が普及しているが、緑茶をより風味豊かに飲用するためにいろいろな工夫が知られている。ペットボトルのキャップ内に粉末状の緑茶を封入し、この封入状態を飲用直前まで保持しておき、飲用時にこの封入状態を解除してペットボトル中の水に粉末茶を混合させる構造には、次のように各種の形態がある。
【０００３】
ペットボトルのキャップを中間キャップと上部キャップにて構成し、中間キャップ内部に粉末茶を封入した包装容器を装着する。そして、上部キャップの頂壁には下方へ突出した棒が取り付けられている。ペットボトルに中間キャップが螺着され、この中間キャップに上部キャップが同じく螺着されている。飲用時に上部キャップを回転することによって、棒の下降により粉末茶が封入されている包装容器を突き破り、粉末茶を水の中に落下混入して溶解させる（特許文献1参照）。
【０００４】
また、この特許文献１には、上部キャップの棒で中間キャップの包装容器を突き破る構成として、前述したねじの回転ではなく上部キャップを下方へ押圧することにより突き破る構成も開示されている。
【０００５】
この特許文献１の構成により、飲用直前に新鮮な粉末茶を水に混合することが可能であって、風味豊かな緑茶を飲用することができる。しかしながら、突き破るための棒を下降させる構成の一つでは、上部キャップ内側のねじを回転させて上部キャップを下降させる必要がある。この構成によると、ねじの回転を所定位置まで完全に行うことで包装容器を完全に突き破ることが可能であるが、ねじを手で回転させることから、十分に回転したと勘違いをして途中で回転を中止してしまうと、包装容器を突き破ることができないか、不十分な開放となってしまうおそれがある。
【０００６】
また、特許文献1の他の構成では、上部キャップを押圧すると包装容器が破れることになり、飲用時にのみ押圧することが前提となっている。しかしながら、飲用時ではないときに不用意に外力が上部キャップに印加されると、棒によって包装容器が突き破れてしまい、意図しないときに粉末茶が出てしまう事態が起きる。このような心配は、利用者が飲料を購入後に起こしてしまうこともあるが、商品製造工程中あるいは輸送中にも起こりうることであって、予防処置が必要となる。
【０００７】
キャップ内部に粉末茶を収納しておき、飲用時にこの粉末茶をペットボトル本体の飲料水と混合する方法として、特許文献２では、キャップを取り外す際に粉末茶が収納されている筒体を飲料水中に落下させる構成が開示されている。しかしながら、この構成によると粉末茶のみならず筒体をも飲用水中に落下させることになり、飲料水中に粉末茶以外のものが混入することは誤飲のおそれなどの危険や衛生上の問題がある。
【０００８】
また、キャップ内の収納部に粉末茶を収納し、収納部下部を封止しておきキャップをねじ込むことによって突出部が封止部の弱点部を破断させて収納しておいた粉末茶を飲料水中に混合する構成が知られている（特許文献３参照）。
【０００９】
しかしながら、この特許文献３に開示されている構成では、封止部の破断をキャップのねじ込み動作によって行うため、利用者が所定の位置まで十分にねじ込む必要があり、途中でねじ込み完了と誤認してしまうと封止部が完全に破断されないこととなって、全ての粉末茶を飲料水中に混入させることができなくなるおそれがある。
【００１０】
特許文献３と同様な構成として特許文献４には、びん口に粉末茶を収納しておき、螺着してあるキャップを下方へねじ込むことでキャップに設けてある突起が封止部を破断して粉末茶を飲料水中に落下混入させる構成が開示されている。しかしながら、この構成においては、利用者がキャップのねじ込み動作を完全に行わず途中で止めてしまうこともあり得る。この結果、封止部の破断が不完全となり全ての粉末茶が飲料水中に落下しないおそれがある。
【００１１】
また、キャップ内に収納してある粉末茶を飲料水中に混入する他の構成が特許文献５に開示されている。特許文献５の図４には、キャップ内部に粉末茶を収納してあるが、このキャップ下部の開口部は弁体で封止してある。弁体には上方に突出した押圧部が設けられていて、この押圧部はキャップ上端を貫通して外部へ露出している。そしてこの押圧部が不用意に押されないように保護カバーが設けられている。利用者が飲用しようとすると、先ず保護カバーを外して押圧部を押し、弁体をシーリングリングに抗して下方へ移動させることにより粉末茶を飲料水中に落下混入させることになる。
【００１２】
しかしながら、この構成においてはいくつかの難点が認められる。すなわち、常時キャップ内の粉末茶はシール用リングと弁体とで封止してあるが、弁体とリング間から水が粉末中に浸入するおそれがある。さらに、キャップ上端には押圧部を外部へ取り出すために孔が形成されていてこの孔から内部に湿気や汚染物が混入するおそれがある。キャップには保護カバーが設けられているが、これは押圧部が露出していると誤動作や不用意に押圧部が押されてしまうことを防止するためのもので、衛生上の気密を保持できるものではない。  
【特許文献１】特開２００４−２３８０２２号公報
【特許文献２】特開２００４−３５２３０２号公報
【特許文献３】特開２００４−２７６９４２号公報
【特許文献４】特開２００３−３１０１５８号公報
【特許文献５】特開２００３−１２０１５号公報
【発明の開示】
【発明が解決しようとする課題】
【００１３】
本発明は、上述した全ての課題を解決するためになされたもので、キャップ内に収納した全ての粉末飲料材を簡単な構成で必要時にのみ飲料水中に落下混入することを可能とし、更に、飲用時に粉末飲料材以外の部材が飲料水中に落下することもなく、また、外部への飲料水の漏洩や外部からの汚染のない飲料容器並びに飲料容器用キャップを提供することを目的とする。
【課題を解決するための手段】
【００１４】
本発明に係る飲料容器は、開口ねじ部を有する飲料容器と、前記開口ねじ部に装着され内部に粉末飲料材を収納するキャップとからなる飲料容器であって、
前記キャップは前記飲料容器の開口ねじ部に螺合可能な下部キャップとこの下部キャップに嵌合可能な上部キャップから構成されており、
前記下部キャップは前記飲料容器の開口ねじ部に螺合する蓋部と、この蓋部に一体に形成され前記飲料容器の開口ねじ部の内側に挿入される支持筒体とから構成されており、前記支持筒体の下部開口面には封止フィルムが固着されており、前記支持筒体の上部には環状の嵌合溝が形成されており、
前記上部キャップは、押圧天板と、この押圧天板に一体形成された環状側縁部と、この環状側縁部の下端には内側に屈曲し先端下部が傾斜面に形成されている係止部と、前記押圧天板の裏面に一体に形成され前記支持筒体の内側に近接して挿入され下端が傾斜開口部に形成されている収納筒とから構成されていることを要旨とする。
【００１５】
本発明に係る飲料容器は、前記下部キャップの前記支持筒体の上端にはねじ部が形成されており、前記上部キャップの前記環状側縁部上部内側にはねじ部が形成されていることを要旨とする。
【００１６】
本発明に係る飲料容器は、前記上部キャップの前記押圧天板の裏面において前記収納筒を囲む位置に断面三角形状の環状突起が形成されていることを要旨とする。
【００１７】
本発明に係る飲料容器は、前記支持筒体の前記傾斜開口部にはメッシュシートが固着されていることを要旨とする。
【００１８】
本発明に係る飲料容器は、前記メッシュシートのメッシュ単位寸法が前記収納筒に収納される粉末飲料材の平均粒径に略等しい寸法に設定されていることを要旨とする。
【００１９】
本発明に係る飲料容器用キャップは、飲料容器の開口ねじ部に螺合する如く形成され、内部に粉末飲料材を収納する飲料容器用キャップであって、
ねじ部が形成された蓋部と、この蓋部に一体に形成され下部開口面に封止フィルムが固着されおり上部には環状の嵌合溝が形成されている支持筒体とからなる下部キャップと、
押圧天板と、この押圧天板に一体に形成された環状側縁部と、この環状側縁部の下端には内側に屈曲し先端下部が傾斜面に形成されている係止部と、前記押圧天板の裏面に形成され前記支持筒体の内側に近接して挿入され下端が傾斜開口面に形成されている収納筒と、
から構成されていることを要旨とする。
【００２０】
本発明に係る飲料容器用キャップは、前記下部キャップの前記支持筒体の上端にはねじ部が形成されており、前記上部キャップの前記環状側縁部上部内側にはねじ部が形成されていることを要旨とする。
【００２１】
本発明に係る飲料容器用キャップは、前記上部キャップの前記押圧天板の裏面において前記収納筒を囲む位置に断面三角形状の環状突起が形成されていることを要旨とする。
【００２２】
本発明に係る飲料容器用キャップは、前記支持筒体の前記傾斜開口部にはメッシュシートが固着されていることを要旨とする。
【００２３】
本発明に係る飲料容器用キャップは、前記メッシュシートのメッシュ単位寸法が前記収納筒に収納される粉末飲料材の平均粒径に略等しい寸法に設定されていることを要旨とする。
【発明の効果】
【００２４】
粉末飲料材を収納したキャップを飲料水が入ったペットボトルなどの飲料容器に装着して、飲用直前に粉末飲料材を飲料水に混合させるにあたり、利用時に粉末飲料材以外の部材が飲料水中に落下することを回避できるようにした。  また、キャップを押圧することで収納してある粉末飲料材の全てを完全に飲料水中に混合させることを可能にした。更に、飲用前の状態においても、意図せずにキャップが押圧により下降してしまうこともなく、押圧した後にあっても内部から飲料水が漏洩することなく外部から汚染されることも防止できるようになった。
【発明を実施するための最良の形態】
【００２５】
以下に本発明に係る実施形態を図を参照して説明する。図１は本発明の実施形態の要部断面を示す図、図２並びに図３は本発明の実施形態の動作を説明するための要部断面図である。
【００２６】
さて、以下の実施形態においては、いわゆるペットボトルにあらかじめ清水などの飲料水が充填された状態としておき、このペットボトルに本発明に係るキャップを装着して利用するものである。すなわち、図１において、上部に開口ねじ部１１を有しこの開口ねじ部１１に飲料水収納部１２が一体に形成されたプラスチック製のいわゆるペットボトル１３を示してある。ペットボトル１３内には、ミネラルウォータなどの飲料水１４が充填されている。
【００２７】
コンビニエンスストアなどの販売店では、上述した飲料水が充填されたペットボトルを広く販売しており、利用者はこれを購入して飲用する。さて、本発明においては、このような飲料水１４充填されているペットボトルの開口ねじ部１１に、以下に説明する改良されたキャップ１５を装着して利用するものである。すなわち、販売されているペットボトル１３に当初装着されているキャップ（図示せず）を外して、本発明に係る改良されたキャップ１５を装着する。
【００２８】
キャップ１５はプラスチック製の下部キャップ１６並びに上部キャップ１７によって構成されている。下部キャップ１６は、円環状の蓋部１８と、この蓋部１８の上端を同芯的に貫通して蓋部１８と一体に形成されている支持筒体１９から構成されている。蓋体１８の内側には、ペットボトル１３の開口ねじ部１１に螺合するねじが形成されており、当初のペットボトル１３に装着されていたキャップに代えてこの蓋部１８がペットボトルを封止するように形成されている。
【００２９】
下部キャップ１６の支持筒体１９は、円筒状に形成されており、その外側面がペットボトル１３の開口ねじ部１１内面に近接するように形成されている下部筒体２０と、蓋部１８の上端から上方へ形成されている上部筒体２１とから構成されている。下部筒体２０と上部筒体２１は、説明の便宜上別々に示したが、図１に示すように一体に形成されていて、その円筒状内面２２は平滑に形成されている。また、下部筒体２０の下端はペットボトル１３の開口面と平行な開口面２３をなしている。下部筒体２０の下端開口面２３は封止フィルム２４によって封止されている。この封止フィルム２４は下部筒体２０の下端面に熱溶着法を利用して強固に取着される。なお、封止フィルム２４は、湿気を通さない合成樹脂製の薄膜から形成されている。
【００３０】
下部キャップ１６の上部筒体２１の上部は下方からの傾斜面２５を経由して径大に厚く形成されており、そこに環状に嵌合溝２６を形成する。嵌合溝２６の上縁にはねじ部２７が形成されている。
【００３１】
次にキャップ１５を形成する他の部材である、上部キャップ１７の構成を図１を参照して説明する。上部キャップ１７は、環状側縁部２８とこの上部を覆う押圧天板２９並びに押圧天板２９裏面に下方へ伸びる収納筒３０から構成されている。環状側縁部２８の下端には内側に屈曲した係止部３１が形成されており、この係止部３１は支持筒体１９上端に形成されている嵌合溝２６内に嵌合している。また、係止部３１の先端下部は傾斜面３２に形成されており、先端上部は平面３３となっている。なお、係止部３１は環状側縁部２８の下端全周にわたって形成してもよいが、例えば各々が９０°ずれた４箇所に形成してもよい。
【００３２】
押圧天板２９の裏面に形成されている収納筒３０は、下部キャップ１６の内面に近接して配置される円筒状であって、下端は傾斜開口面３４となっている。従ってこの傾斜開口面３４は楕円形状であって、上方長円端３５と下方長円端３６が形成されている。そして、上方長円端３５並びに下方長円端３６の先端は傾斜開口面３４の傾斜角である鋭角に形成されている。また、下方長円端３６の先端は、環状側縁部２８の係止部３１が嵌合溝２６に嵌合されている状態で、開口面２３を封止している封止フィルム２４上方の所定間隔の位置になるように設定されている。
【００３３】
環状側縁部２８の上部内面であって押圧天板２９との境界角部には、環状ねじ部３７が形成されている。この環状ねじ部３７は、後述するが、上部キャップ１７を下方へ押圧した際に上部筒体２１のねじ部２７と螺合するように形成されている。
【００３４】
押圧天板２９の裏面であって、収納筒３０を囲む位置には環状突起３８が形成されている。この環状突起３８は断面が三角形状であって、その頂部が下方へ向いていて支持筒体１９の上面に対向する位置に形成されている。
【００３５】
このようにして形成されたキャップ１５の収納筒３０内部には、図１に模式的にモザイク表記したが粉末飲料材３９が収納される。粉末飲料材３９としては代表的なものとして粉末茶があるが、他に飲料水中に落下混入させて溶解する飲料材であればこれに限定されない。粉末茶としては茶葉を極めて微細な粒子状に加工したものであるが、インスタントコーヒーのようなフリーズドライ製法による顆粒材を収納してもよい。
【００３６】
次に本発明の実施形態の作用について図２、図３をも参照して説明する。ペットボトル１３の飲料水収納部１２にはミネラルウォータなどの飲料水１４がすでに収納されている。このペットボトル１３の開口ねじ部１１に図１に示すような内部に粉末飲料材３９が収納されたキャップ１５が螺着される。
【００３７】
この状態では、上部キャップ１７の係止部３１が上部筒体２１に形成されている嵌合溝２６に嵌合されているため、押圧天板２９に少々の力が加えられても上部キャップ１７が下方へ降下することはない。従って、内部に粉末飲料材３９が収納されたキャップ１５をペットボトル１３に装着したままで、手に所持したり、バックなどの内部に格納したり、あるいは販売のために箱詰めして運搬しても上部キャップ１７が動くことはない。
【００３８】
また、ペットボトル１３の動きによっても内部の飲料水１４が外部に漏洩することもなく、キャップ１５の内部に侵入することもない。これは、ペットボトル１３の開口ねじ部１１にキャップ１５の蓋部１８が強固に螺合しており、更に下部筒体２０の開口面２３を水分を透過させない封止フィルム２４が強固に熱溶着されていることによる。
【００３９】
いま利用者が粉末飲料材３９をペットボトル１３内の飲料水１４中に溶解して飲用を希望した場合には、図２に上部矢印で示すように上部キャップ１７の押圧天板２９を手で下方へ押す。
【００４０】
先に示したように上部キャップ１７は、係止部３１が嵌合溝２６の内部に嵌合しているため、意図しない力を加えない限り下方へ移動しなかったが、この係止している状態に更に力を加えることにより、上部キャップ１７は図２のように下方へ移動を始める。
【００４１】
すなわち、上部キャップ１７の押圧天板２９に上部矢印４０のような押圧力が印加されると、係止部３１は傾斜面３２に沿って嵌合溝２６から下方へ移動する。この際、上部キャップ１７がプラスチック製であることから、環状側縁部２８が若干たわむことによって係止部３１が嵌合溝２６から下方へ離脱する。
【００４２】
このようにして上部キャップ１７が下方へ移動を開始すると、これに伴って収納筒３０も下方へ移動を開始する。収納筒３０の先端、すなわち下方長円端３６は封止フィルム２４面に達し、収納筒３０の更なる下降により図２に示すように封止フィルム２４は収納筒３０の下方長円端３６に押された箇所から剥離を開始する。封止フィルム２４が剥離し始めたことから、収納筒３０内部の粉末飲料材３９も下部キャップ１６の開口面２３から飲料水収納部１２中へ落下を開始するが、未だ十分な落下には至っていない。
【００４３】
利用者による上部矢印４０に示した押圧天板２９への押圧を継続することにより、上部キャップ１７は図３に示すように更に下降する。押圧天板２９への押圧により、押圧天板２９裏面の環状突起３８と上部筒体２１上面が接触する直前まで上部キャップ１７は下降する。この状態で上部キャップ１７内側の環状ねじ部３７と上部筒体２１の上端に形成されているねじ部２７が接触する。利用者は上部キャップ１７の降下停止とともに上部キャップ１７を回転させて環状ねじ部３７とねじ部２７の螺合を行う。この結果、上部キャップ１７と下部キャップ１６が結合される。
【００４４】
上部キャップ１７の降下により収納筒３０も更に下降することになり、下方長円端３６による封止フィルム２４の開放は更に進む。封止フィルム２４は図３に示すように収納筒３０の上方長円端３５によっても押され、開放は更に促進される。そして、収納筒３０内の粉末飲料材３９の全てが落下して、下部矢印４１に示すように、ペットボトル１３の飲料水収納部１２に収納されている飲料水１４の中へ混入する。
【００４５】
このようにして上部キャップ１７を押圧したことによって粉末飲料材３９を飲料水１４中に落下混入することができ、利用者は下部キャップ１６の蓋部１８をねじってペットボトル１３の開口ねじ部１１からキャップ１５を外し、粉末飲料材３９が溶解した飲料水１４を飲用することができる。飲用終了後は、再び下部キャップ１６の蓋部１８をペットボトル１３のねじ部１１に螺合させて閉めておけばよい。
【００４６】
なお、この状態でもペットボトル１３を激しく動かしたり、ゆすったりしなければ、少々の動きではペットボトル１３の飲料水１４が外部へ漏洩することはない。しかしながら、ペットボトル１３を激しく動かしたり、バック内などへ収納して横倒しにしたりすると飲料水１４は収納筒３０と下部キャップ１６内面との間を通り、上部筒体１上方から外部へ漏洩してしまう。
【００４７】
このような漏洩を防止するために、上部キャップ１５の押圧完了後、上部キャップ１７を回転させて上部筒体２１のねじ部２７と上部キャップ内側の環状ねじ部３７を螺合させる。この螺合により押圧天板２９裏面の環状突起３８の先端が上部筒体２１の上面に強く食い込むように接触しこの状態が保持される。この結果、飲料水１４は環状突起３８の内側で流出が阻止され、外部への漏洩が防止される。合わせてペットボトル１３内への外部汚染の侵入の防止ともなる。
【００４８】
以上説明したように、本発明に係る実施形態によって、一般に販売されているミネラルウォータなどの飲料水のペットボトルを購入し、購入時に装着されていたねじ蓋を外して上述した本発明に係る粉末飲料材が収納されているキャップを装着することにより、飲用時にはじめて粉末飲料材を飲料水中に混入させることが可能となった。
【００４９】
これによりいつでも風味豊かな飲料を利用することができる。また、販売時から上述した本発明に係る粉末飲料材を収納したキャップを、飲料水が入っているペットボトルのキャップを装着しておき、これを購入した利用者は飲用時まで粉末飲料材を混入させずに所持しておき、飲用する際にはじめて両者を混合させるようにしてもよい。
【００５０】
本発明に係る実施形態により、ペットボトルに粉末飲料材が収納されたキャップを装着した状態で日常活動にて所持していても、特別の保護部材を装着することなく、上部キャップが押されて下降し封止フィルムを剥離してしまうこともなくなった。さらに、一度封止フィルムを剥離して粉末飲料材を混合した飲料水を利用後であっても上部キャップと下部キャップ間を強固かつ水密状態に保持することを可能としたことで、飲料水の漏洩、外部からの汚染の防止を図れるようになった。
【００５１】
次に本発明の他の実施形態を図４を参照して説明する。上述した図１〜図３までの共通する構成並びに動作についてはその説明は省略する。
【００５２】
図１の例では上部キャップ１７の下端、すなわち傾斜開口面３４には何ら取り付けられておらず、上部キャップ１７を押圧して封止フィルム２４を剥離したと同時に収納されている粉末飲料材３９が飲料水１４中に落下して混合される。
【００５３】
このような本発明に係る構成によって十分に風味を含め良好な飲料水ができるが、粉末飲料材の種類によっては、収納されている粉末飲料材をそのまま飲料水中に落下させると、一部がダマ状態となって容器底部に溜まってしまう現象が発生することがある。
【００５４】
そこで、図４の例では、上部キャップ１７の収納筒３０下端の傾斜開口面３４にメッシュシート４２を固着した。このメッシュシート４２のメッシュ寸法は概略収納する粉末飲料材の粒径に等しい寸法にする。例えば、微細な粉末茶の平均粒径が３μｍであるとするとメッシュシート４２のメッシュ単位開口長を同じく３μｍに設定する。この寸法によると、輸送途中の振動や利用者がキャップを動かした位では粉末はメッシュを通過しない。しかし、水中で振ったり水面上方で強く振ったりすることでメッシュ径と略同一の粉末はメッシュを通過して水中に落下もしくは混合する。もし粉末中にダマ状態の大きな粒径の粉末塊が存在すると振ってもメッシュを通過することはできず、収納筒中に残存させることができる。
【００５５】
次に本発明の他の実施形態について、図５、図６を参照して説明する。
【００５６】
図５に示すように、キャップ１５はプラスチック製の下部キャップ１６並びに上部キャップ１７によって構成されている。
【００５７】
下部キャップ１６は、円環状の蓋部１８と、この蓋部１８の上端を同芯的に貫通して蓋部１８と一体に形成されている支持筒体１９から構成されている。蓋体１８の内側には、ペットボトル１３の開口ねじ部１１に螺合するねじが形成されており、当初のペットボトル１３に装着されていたキャップに代えてこの蓋部１８がペットボトルを封止するように形成されている。
【００５８】
下部キャップ１６の支持筒体１９は、円筒状に形成されており、その外側面がペットボトル１３の開口ねじ部１１内面に近接するように形成されている下部筒体２０と、蓋部１８の上端から上方へ形成されている上部筒体２１とから構成されている。下部筒体２０と上部筒体２１は、説明の便宜上別々に示したが、図５に示すように一体に形成されていて、その円筒状内面２２は平滑に形成されている。
【００５９】
下部筒体２０の下端はペットボトル１３の開口面に対して傾きをもった傾斜開口面４９を成している。下部筒体２０の傾斜開口面４９は封止フィルム２４によって封止されている。この封止フィルム２４は下部筒体２０の下端面に熱溶着法を利用して強固に取着される。なお、封止フィルム２４は、湿気を通さない合成樹脂製の薄膜から形成されている。
【００６０】
下部キャップ１６の上部筒体２１の上部には、つば部５０が形成されている。する。つば部５０の外周にはねじ部２７が形成されている。
【００６１】
上部キャップ１７は、環状側縁部２８とこの上部を覆う押圧天板２９並びに押圧天板２９裏面に下方へ伸びる収納筒３０から構成されている。環状側縁部２８の下端には内側に屈曲した係止部３１が形成されている。この係止部３１は、支持筒体１９上端に形成されているつば部５０の下側に位置し、上部キャップ１７と下部キャップ１６が分離しないようにしている。係止部３１の先端下部は傾斜面３２に形成されており、先端上部は平面３３となっている。なお、係止部３１は環状側縁部２８の下端全周にわたって形成してもよいが、例えば各々が９０°ずれた４箇所に形成してもよい。
【００６２】
押圧天板２９の裏面に形成されている収納筒３０は、下部キャップ１６の内面に近接して配置される円筒状であって、下端は傾斜開口面３４となっている。従ってこの傾斜開口面３４は楕円形状であって、上方長円端３５と下方長円端３６が形成されている。そして、上方長円端３５並びに下方長円端３６の先端は、傾斜開口面３４の傾斜角である鋭角に形成されている。また、下方長円端３６の先端は、環状側縁部２８の係止部３１がつば部５０の下側に位置している状態で、傾斜開口面４９を封止している封止フィルム２４より、わずかに上方の所定間隔の位置になるように設定されている。この状態で、封止フィルム２４が突き破られないようにするためである。
【００６３】
収納筒３０の外周であって、係止部３１の傾斜面３２の近傍には、溝５１が形成されている。この溝５１には、例えば、ネオプレン製のＯリング５２を嵌挿する。したがって、収納筒３０の外周と上部筒体２１とで形成される空間の気密性が確保される。
【００６４】
環状側縁部２８の上部内面であって押圧天板２９との境界角部には、環状ねじ部３７が形成されている。この環状ねじ部３７は、上部キャップ１７を下方へ押圧した際に上部筒体２１のねじ部２７と螺合するように形成されている。
【００６５】
押圧天板２９の裏面であって、収納筒３０を囲む位置には環状突起３８が形成されている。この環状突起３８は断面が三角形状であって、その頂部が下方へ向いていて支持筒体１９の上面に対向する位置に形成されている。
【００６６】
上部キャップ１７の係止部３１の下方と蓋部１８の上面とで形づくられる領域であって、下部キャップ１６の支持筒体１９の周囲には、ストッパー５３が嵌挿されている。図６に示すように、ストッパー５３は、例えば１／４周程度の切り欠き部を有した略リング状あるいはＣ字状のもので、切り欠き部に対向する側に、一体的に摘み部５４が形成されている。ストッパー５３は、可撓性を有した樹脂製のもので製作される。したがって、ストッパー５３は、摘み部５４を引っ張ることにより、支持筒体１９に沿って欠損部が開くように変形し、支持筒体１９から引き抜くことができる。
【００６７】
次に、本実施形態の作用について説明する。
【００６８】
利用者が粉末飲料材３９をペットボトル１３内の飲料水１４中に溶解して飲用を希望した場合には、まず、ストッパー５３の摘み部５４を指で摘み、支持筒体１９から引き抜く。
【００６９】
次いで、上部キャップ１７の押圧天板２９を手で下方へ押す。上部キャップ１７は、係止部３１がつば部５０の下側に位置しているため、意図しない力を加えない限り下方へ移動しない、この係止している状態に更に力を加えることにより、上部キャップ１７は下方へ移動を始める。
【００７０】
上部キャップ１７が下方へ移動を開始すると、これに伴って収納筒３０も下方へ移動を開始する。収納筒３０の先端、すなわち下方長円端３６は封止フィルム２４面に達し、収納筒３０の更なる下降により、封止フィルム２４は収納筒３０の下方長円端３６に押された箇所から剥離を開始する。封止フィルム２４が剥離し始めたことから、収納筒３０内部の粉末飲料材３９も下部キャップ１６の傾斜開口面４９から飲料水収納部１２中へ落下を開始するが、未だ十分な落下には至っていない。
【００７１】
利用者による上部矢印４０に示した押圧天板２９への押圧を継続することにより、上部キャップ１７は更に下降する。押圧天板２９への押圧により、押圧天板２９裏面の環状突起３８と上部筒体２１上面が接触する直前まで上部キャップ１７は下降する。この状態で上部キャップ１７内側の環状ねじ部３７と上部筒体２１の上端に形成されているねじ部２７が接触する。利用者は上部キャップ１７の降下停止とともに上部キャップ１７を回転させて環状ねじ部３７とねじ部２７の螺合を行う。この結果、上部キャップ１７と下部キャップ１６が結合される。
【００７２】
上部キャップ１７の降下により収納筒３０も更に下降することになり、下方長円端３６による封止フィルム２４の開放は更に進む。封止フィルム２４は、収納筒３０の上方長円端３５によっても押され、開放は更に促進される。そして、収納筒３０内の粉末飲料材３９の全てが落下して、ペットボトル１３の飲料水収納部１２に収納されている飲料水１４の中へ混入する。
【００７３】
キャップの押圧天板２９の単純な下方への押圧動作により、押し回しの動きとなり、上部キャップ１７と下部キャップ１６を係着させることができる。
【００７４】
ペットボトル１３を激しく動かしたり、バック内などへ収納して横倒しにしたりすると飲料水１４は収納筒３０と下部キャップ１６内面との間を通り、上部筒体１上方から外部へ漏洩する虞がある。
【００７５】
本実施形態では、収納筒３０の外周にＯリング５２を嵌挿しているので、このような漏洩を防止することができる。
【００７６】
なお、本発明は上記の実施形態のそのままに限定されるものではなく、実施段階ではその要旨を逸脱しない範囲で構成要素を変形して具体化できる。また、上記の実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７７】
【図１】本発明の実施形態を示す要部断面図。
【図２】本発明の実施形態の動作を説明するための要部断面図。
【図３】本発明の実施形態の動作を説明するための要部断面図。
【図４】本発明の他の実施形態を示す要部断面図。
【図５】本発明の他の実施形態を示す要部断面図。
【図６】図５に示す実施形態で使用されるストッパーの外観図。
【符号の説明】
【００７８】
１１…開口ねじ部、１２…飲料水収納部、１３…ペットボトル、１４…飲料水、１５…キャップ、１６…下部キャップ、１７…上部キャップ、１８…蓋部、１９…支持筒体、２０…下部筒体、２１…上部筒体、２２…円筒状内面、２３…下端開口面、２４…封止フィルム、２５、３２…傾斜面、２６…嵌合溝、２７…ねじ部、２８…環状側縁部、２９…押圧天板、３０…収納筒、３１…係止部、３３…平面、３４…傾斜開口面、３５…上方長円端、３６…下方長円端、３７…環状ねじ部、３８…環状突起、３９…粉末飲料材、４０…上部矢印、４１…下部矢印、メッシュシート…４２、４９…傾斜開口面、５０…つば部、５１…溝、５２…Ｏリング、５３…ストッパー、５４…摘み部。
【図１】
2007269403.tif 000003
【図２】
2007269403.tif 000004
【図３】
2007269403.tif 000005
【図４】
2007269403.tif 000006
【図５】
2007269403.tif 000007
【図６】
2007269403.tif 000008